(57)【要約】【課題】  ＢＩＭを実現するＣＡＤシステムにおいて、実体的なオブジェクト同士の干渉だけでなく、禁止空間と対象オブジェクトとの干渉も検出する。【解決手段】  ＢＩＭを実現するＣＡＤシステム内のオブジェクトの干渉を検出する干渉検出方法は、少なくとも特定のオブジェクトの存在が禁止される仮想的な禁止空間を実体的なオブジェクトとして追加設定することと、禁止空間と存在が禁止される対象オブジェクトとの干渉を検出することとを含む。【選択図】  図１
2012230577.tif 000002
【特許請求の範囲】
【請求項１】
ＢＩＭを実現するＣＡＤシステム内のオブジェクトの干渉を検出する干渉検出方法であって、
少なくとも特定のオブジェクトの存在が禁止される仮想的な禁止空間を実体的なオブジェクトとして追加設定することと、
前記禁止空間と存在が禁止される対象オブジェクトとの干渉を検出することとを含むことを特徴とする干渉検出方法。
【請求項２】
前記禁止空間として、特定の設備機器の周辺空間を設定し、
前記周辺空間と他のすべてのオブジェクトとの干渉を検出することを特徴とする請求項１に記載の干渉検出方法。
【請求項３】
前記禁止空間として、屋内駐車場に要求される所要の高さを有する駐車空間を設定し、
前記駐車空間と他のすべてのオブジェクトとの干渉を検出することを特徴とする請求項１に記載の干渉検出方法。
【請求項４】
前記禁止空間として、避難のための通路に要求される所要の幅を有する避難通路空間を設定し、
前記避難通路空間と他のすべてのオブジェクトとの干渉を検出することを特徴とする請求項１に記載の干渉検出方法。
【請求項５】
前記禁止空間として、受水槽室の内部空間を設定し、
前記対象オブジェクトとしての排水配管と前記内部空間との干渉を検出することを特徴とする請求項１に記載の干渉検出方法。
【発明の詳細な説明】
【技術分野】
【０００１】
本発明は、ＣＡＤシステム内のオブジェクトの干渉検出方法に関する。さらに詳細には、本発明は、ＢＩＭを実現するＣＡＤシステム内のオブジェクトの干渉を検出する方法に関するものである。
【背景技術】
【０００２】
ＢＩＭ（Building Information Modeling：ビルディング インフォメーション モデリング）を実現するＣＡＤ（Computer Aided Design：コンピュータ支援設計）システム（以下、「ＢＩＭソフト」ともいう）が知られている。ＢＩＭソフトでは、コンピュータ上に建物の三次元デジタルモデルを作成し、設計から施工、維持管理に至るまで建築ライフサイクル全体でモデルに蓄積された情報を活用することにより、建築ビジネスの業務を効率化する。
【０００３】
ＢＩＭソフトは、建物を構成するオブジェクト間の物理的な干渉を検出する機能、換言すると、そのまま施工するとお互いに障害になって実現しない部分を自動的に検出する機能を有する。例えば、この干渉検出機能により梁と配管とが同じ位置を通過すること（部分的に同じ領域を占めること）が判明した場合、少なくともいずれか一方を移動させるか、あるいは梁に貫通孔（スリーブ）を設けて配管を通すことにより解決を図ることができる。
【発明の概要】
【発明が解決しようとする課題】
【０００４】
しかしながら、従来のＢＩＭソフトでは、コンピュータ上に作成された実体的なオブジェクト同士の干渉、すなわち建物を実際に構成する要素（躯体を構成する部材、設備機器など）同士の干渉を検出するだけである。その結果、特定のオブジェクトまたはすべてのオブジェクトの存在が禁止される禁止空間に禁止対象となるオブジェクトが存在していても、この禁止空間と対象オブジェクトとの干渉を検出することができない。
【０００５】
本発明は、前述の課題に鑑みてなされたものであり、ＢＩＭを実現するＣＡＤシステムにおいて、実体的なオブジェクト同士の干渉だけでなく、禁止空間と対象オブジェクトとの干渉も検出することのできる干渉検出方法を提供することを目的とする。
【課題を解決するための手段】
【０００６】
前記課題を解決するために、本発明では、ＢＩＭを実現するＣＡＤシステム内のオブジェクトの干渉を検出する干渉検出方法であって、
少なくとも特定のオブジェクトの存在が禁止される仮想的な禁止空間を実体的なオブジェクトとして追加設定することと、
前記禁止空間と存在が禁止される対象オブジェクトとの干渉を検出することとを含むことを特徴とする干渉検出方法を提供する。
【発明の効果】
【０００７】
本発明では、ＢＩＭを実現するＣＡＤシステムにおいて、少なくとも特定のオブジェクトの存在が禁止される仮想的な禁止空間を実体的なオブジェクトとして追加設定し、この禁止空間と存在が禁止される対象オブジェクトとの干渉を検出する。その結果、本発明では、実体的なオブジェクト同士の干渉だけでなく、禁止空間と対象オブジェクトとの干渉も検出することができる。
【図面の簡単な説明】
【０００８】
【図１】本発明の実施形態にかかる干渉検出方法の第１の適用例を概略的に示す図であって、設備機器の周辺空間が禁止空間である例を示している。
【図２】本実施形態にかかる干渉検出方法の第２の適用例を概略的に示す図であって、駐車空間が禁止空間である例を示している。
【図３】本実施形態にかかる干渉検出方法の第３の適用例を概略的に示す図であって、避難通路空間が禁止空間である例を示している。
【図４】本実施形態にかかる干渉検出方法の第４の適用例を概略的に示す図であって、受水槽室の内部空間が禁止空間である例を示している。
【発明を実施するための形態】
【０００９】
本発明の実施形態を、添付図面に基づいて説明する。図１は、本発明の実施形態にかかる干渉検出方法の第１の適用例を概略的に示す図である。図１には、床スラブ１１の上に設備機器１２が設置されている様子が示されている。設備機器１２の上部空間（図１中破線で示す）１３には、機器の点検のために配管１４のようなオブジェクトを設置することが禁止されている。換言すれば、設備機器１２の点検のために、いかなるオブジェクトも存在しない上部空間１３を確保しなければならない。
【００１０】
図１に示す第１の適用例では、ＢＩＭを実現するＣＡＤシステムにおいて、いかなるオブジェクトの存在も禁止される禁止空間として、設備機器１２の上部空間１３を、実体的なオブジェクトとして追加設定する。そして、設備機器１２の上部空間１３と他のすべてのオブジェクトとの干渉を検出する。その結果、例えば上部空間１３と配管１４とが干渉していること、すなわち上部空間１３を配管１４が通過していることを検知することができ、ひいては設計段階において配管１４を所要の経路に沿って正しく配置し直すことができる。
【００１１】
なお、上述の第１の適用例では、いかなるオブジェクトの存在も禁止される仮想的な禁止空間が、設備機器１２の上部空間１３である例に基づいて、本発明を説明している。しかしながら、これに限定されることなく、設備機器の周辺空間（前側の空間、後側の空間、横側の空間など）が禁止空間である例に対しても同様に、本発明を適用することができる。
【００１２】
図２は、本発明の実施形態にかかる干渉検出方法の第２の適用例を概略的に示す図である。図２には、屋内駐車場２０の床スラブ２１の上に車両２２が駐車している様子が示されている。屋内駐車場２０では、車両２２の安全な通行を実現するために、床スラブ２１から一定の高さ範囲（例えば床上３メートルの範囲）を駐車空間（図２中破線で示す）２３として確保する必要がある。
【００１３】
図２に示す第２の適用例では、ＢＩＭを実現するＣＡＤシステムにおいて、いかなるオブジェクトの存在も禁止される禁止空間として、屋内駐車場２０に要求される所要の高さを有する駐車空間２３を、実体的なオブジェクトとして追加設定する。そして、駐車空間２３と他のすべてのオブジェクトとの干渉を検出する。その結果、例えば駐車空間２３と照明器具２４や配管２５とが干渉していることを検知することができ、ひいては設計段階において照明器具２４を所要の位置に正しく配置し直し、且つ配管２５を所要の経路に沿って正しく配置し直すことができる。
【００１４】
図３は、本発明の実施形態にかかる干渉検出方法の第３の適用例を概略的に示す図である。図３には、例えば廊下（または開口部）の形態を有する避難通路３０が、床スラブ３１の上に設けられている様子が示されている。避難通路３０では、人の安全な避難を実現するために、床スラブ３１から一定の高さ範囲において所要の幅を有する避難通路空間（図３中破線で示す）３２を確保する必要がある。
【００１５】
図３に示す第３の適用例では、ＢＩＭを実現するＣＡＤシステムにおいて、いかなるオブジェクトの存在も禁止される禁止空間として、避難通路３０に要求される所要の幅を有する避難通路空間３２を、実体的なオブジェクトとして追加設定する。そして、避難通路空間３２と他のすべてのオブジェクトとの干渉を検出する。その結果、例えば避難通路空間３２と設備機器３３とが干渉していることを検知することができ、ひいては設計段階において設備機器３３を所要の位置に正しく配置し直すことができる。
【００１６】
図４は、本発明の実施形態にかかる干渉検出方法の第４の適用例を概略的に示す図である。図４には、受水槽室４０の床スラブ４１の上に、受水槽４２が設置されている様子が示されている。受水槽室４０では、排水配管４３を配置することが法令により禁じられている。これは、排水配管４３に万一事故があった場合に衛生的に問題があるからである。
【００１７】
図４に示す第４の適用例では、ＢＩＭを実現するＣＡＤシステムにおいて、排水配管の存在だけが禁止される禁止空間として、受水槽室４０の内部空間（図４中破線で示す）４４を、実体的なオブジェクトとして追加設定する。そして、対象オブジェクトとしての排水配管と内部空間４４との干渉を検出する。その結果、例えば上階からの排水配管４３と内部空間４４とが干渉していることを検知することができ、ひいては設計段階において排水配管４３を所要の経路に沿って正しく配置し直すことができる。
【００１８】
以上のように、本実施形態では、少なくとも特定のオブジェクトの存在が禁止される仮想的な禁止空間を実体的なオブジェクトとして追加設定することにより、すなわち実体のない空間に物体（オブジェクト）としての概念を付与することにより、実体的なオブジェクト同士の干渉だけでなく、禁止空間と対象オブジェクトとの干渉も検出することが可能である。その結果、設計の不具合の発見に関わる労力を大幅に低減することが可能になるだけでなく、不具合を事前に発見することにより工事のやり直しを回避することが可能になり、ひいては無駄な後戻り工事を排除することが可能になる。
【００１９】
なお、上述の説明では、設備機器１２の周辺空間、屋内駐車場２０の駐車空間２３、避難通路３０の避難通路空間３２、および受水槽室４０の内部空間４４が禁止空間である例に対して本発明を適用している。しかしながら、これに限定されることなく、少なくとも特定のオブジェクトの存在が禁止される他の仮想的な禁止空間に対しても同様に、本発明を適用することができる。
【符号の説明】
【００２０】
１１，２１，３１，４１  床スラブ
１２，３３  設備機器
１３，２３，３２，４４  禁止空間
１４，２５  配管
２０  屋内駐車場
２４  照明器具
３０  避難通路
４０  受水槽室
４３  排水配管
【図１】
2012230577.tif 000003
【図２】
2012230577.tif 000004
【図３】
2012230577.tif 000005
【図４】
2012230577.tif 000006